(57)【要約】【課題】  非常に小さなサイズのものであって、ひげそり器の前進速度が早い場合でもひげそり効果を発揮することを特徴とするひげそりヘッドを提供すること。【解決手段】  本発明は、少なくとも１つの外刃（９）と、この外刃（９）に係合するとともに切断エッジを有する少なくとも１つの下刃（１）とを有し、これらの刃の一方は他方に対して駆動機構により移動自在となっており、外刃（９）はバー（１７）および隙間（２１）を有するかみ合い表面（１４）を有し、隙間（２１）は少なくともかみ合い表面（１４）の２つの横方向境界線（１５、１６）のうちの一方に向かって開口し、境界線はかみ合い表面（１４）の幅を規定するようなひげそり器のひげそりヘッドである。バー（１４）は蛇行、正弦曲線状または曲がりくねった配置となるよう、かみ合い表面（１４）の２つの対向する横方向境界線（１５、１６）の間を行き来して延びる。
2005523090.tif 000002
【特許請求の範囲】
【請求項１】
少なくとも１つの外刃（９）と、この外刃（９）に係合するとともに切断エッジを有する少なくとも１つの下刃（１）とを有し、これらの刃の一方は他方に対して駆動機構により移動自在となっており、外刃（９）はバー（１７）および隙間（２１）を有するかみ合い表面（１４）を有し、隙間（２１）は少なくともかみ合い表面（１４）の２つの横方向境界線（１５、１６）のうちの一方に向かって開口し、前記境界線はかみ合い表面（１４）の幅を規定するようなひげそり器のひげそりヘッドにおいて、
前記バー（１４）は蛇行、正弦曲線状または曲がりくねった配置となるよう、かみ合い表面（１４）の２つの対向する横方向境界線（１５、１６）の間を行き来して延びることを特徴とするひげそりヘッド。
【請求項２】
前記２つの横方向境界線（１５、１６）は平行となっており、かみ合い表面（１４）の長手方向の両サイドを形成していることを特徴とする請求項１記載のひげそりヘッド。
【請求項３】
前記２つの横方向境界線（１５、１６）は折り重ねるよう形成されており、とりわけ同心円がかみ合い表面（１４）の外周および内周を形成していることを特徴とする請求項１記載のひげそりヘッド。
【請求項４】
前記第１および／または第２横方向境界線（１５および／または１６）は、係合する下刃（１）の対応する横方向境界線を越えて突き出ており、これによりバー（１７）の一つまたは複数の反転部分（１８）が下刃（１）に対して櫛状に突出することを特徴とする請求項１乃至３のいずれかに記載のひげそりヘッド。
【請求項５】
隙間（２１）の幅は漏斗状となるように開口に向かうにつれて広がっていることを特徴とする請求項１乃至４のいずれかに記載のひげそりヘッド。
【請求項６】
隙間（２１）の長さは、開口部と反対側にある隙間（２１）の端部（２０）が下刃（１）の切断エッジの通過領域（２５、２６）内に位置するような寸法を取ることを特徴とする請求項１乃至５のいずれかに記載のひげそりヘッド。
【請求項７】
外刃（９）の隙間（２１）またはバー（１７）は、下刃（１）の切断エッジの配置間隔と異なる間隔で配置されることを特徴とする請求項１乃至６のいずれかに記載のひげそりヘッド。
【請求項８】
外刃（９）と下刃（１）との間の相対運動は、直線状方向の振動運動であることを特徴とする請求項１乃至７のいずれかに記載のひげそりヘッド。
【請求項９】
外刃（９）と下刃（１）との間の相対運動は回転方向の運動であることを特徴とする請求項１乃至８のいずれかに記載のひげそりヘッド。
【発明の詳細な説明】
【技術分野】
【０００１】
本発明は、少なくとも１つの外刃と、この外刃に係合するとともに切断エッジを有する少なくとも１つの下刃とを有し、これらの刃の一方は他方に対して駆動機構により移動自在となっており、外刃はバーおよび隙間を有するかみ合い表面を有し、隙間は少なくともかみ合い表面の２つの横方向境界線のうちの一方に向かって開口し、この境界線はかみ合い表面の幅を規定するようなひげそり器のひげそりヘッドに関する。
【背景技術】
【０００２】
この種のひげそりヘッドは、ドイツ特許第４３１２０６０Ｃ１号により知られており、例えば電気乾燥ひげそり器の短髭用の刃の集合体に係合する長髭用の刃として用いられる。２つのひげそりホイルの間にある中央刃として一体化されて用いられていることが好ましいことが見いだされている。公知のひげそりヘッドはＵ字形状のひげそり刃を有する下刃を備え、このひげそり刃は複数の隙間を有し長手方向に振動するよう駆動される。このひげそり刃は、皮膚とのかみ合い表面が側面に設けられ下刃から離れて対向している外刃に強制的に当接させられる。かみ合い表面は中央バーを有し、両サイドに対して幅方向に延びる櫛状となるよう形成された複数の櫛歯がこの中央バーに取り付けられている。櫛歯は切断エッジを形成し、この切断エッジは下刃と結合し、対応する隙間を突き抜けて延びるひげを切断することができる。櫛状となっている櫛歯は、かみ合い表面の長手方向のサイドからその端部が中央バーまで延びる隙間の境界線を形成している。このため、長手方向に延びる中央バーは入り込んだひげを捕まえる機能を果たし、これらのひげは切断されるまでひげそりヘッド内に捉えられる。公知のひげそりヘッドにおいて、外刃の切断エッジの長さは外刃の幅の半分の長さよりもわずかに短くなっている。
【０００３】
公知のひげそりヘッドは実際にその効果が確認されているが、とりわけひげそり器の前進速度が大きい場合には、櫛歯の間に最初に捉えられたひげが中央バーに最後まで捉えられ、その後にこのバーに引っ張られ、このためひげが切断される前に切断エッジの外側に移動してしまうという危険性がある。公知のひげそりヘッドにおいてこのような事が発生する可能性を減らすために、切断エッジを大幅に延ばすこと、すなわち櫛歯または隙間の長さを大きくすることが必要となる。このことにより、ひげそりヘッドの寸法が大幅に大きくなる。
【発明の開示】
【発明が解決しようとする課題】
【０００４】
このため、本発明は冒頭に述べた種類のひげそりヘッドにおいて、非常に小さなサイズのものであって、ひげそり器の前進速度が早い場合でもひげそり効果を発揮することを特徴とするひげそりヘッドを提供することを目的とする。
【課題を解決するための手段】
【０００５】
本発明によれば、この目的はバーが蛇行、正弦曲線状または曲がりくねった配置となるよう、かみ合い表面の２つの対向する横方向境界線の間を行き来して延びることにより達成される。本発明の解決法により、合計でほぼかみ合い表面の幅、すなわちカミソリヘッドの幅に達する長さの切断エッジを得ることができる。このような延伸された切断エッジによって、ひげそり器が前進した場合でも、一旦隙間内に挿入されたひげを実際に切断できる可能性が増加する。ひげそり器の前進速度が大きい場合であっても、短い時間の間にひげが隙間から滑り出ることはなく、このひげは切断されるまでバーの間で保持されることとなる。
【０００６】
公知のひげそりヘッドにおいては、外刃はほとんど中央バーが設けられることのみによって下刃の上に支持され、いわば単線支持となっている。一方、本発明の解決法によれば、蛇行部の反転部分の領域で案内が行われる。このことにより、案内部は他の方法により一方または他方の横方向境界線の領域に配置された遮断された部分を有している。下刃は２つの横方向の外側レール上を案内される。このことは、２つの切断部分の最適な案内が行われることを示している。
【０００７】
ひげそりヘッドの幾何学形状、すなわちひげそり表面の集合体のかみ合い表面は、全く異なるよう形成されていてもよく、すなわち、本発明の一の実施形態において、２つの横方向境界線は平行となっており、かみ合い表面の長手方向の両サイドを形成するようになっている。本発明の他の実施形態においては、２つの横方向境界線は折り重ねるよう形成されており、とりわけ同心円がかみ合い表面の外周および内周をそれぞれ形成するようになっている。このようにして、例えば長方形または環状のひげそり表面が形成される。
【０００８】
皮膚に対して寝るひげを持ち上げることを改善するために、本発明の好ましい実施形態においては、第１および／または第２横方向境界線は、係合する下刃の対応する横方向境界線を越えて突き出ており、これによりバーの単一または複数の反転部分が下刃に対して櫛状に突出するようになっている。このことにより、とりわけ良好な突出および持ち上げ効果を得ることができる。この効果は、隙間の幅が漏斗状となるように開口に向かうにつれて広がることによっても増すことができる。
【０００９】
隙間の長さは、開口部と反対側にある隙間の端部が下刃の切断エッジの通過領域内に位置するような寸法を取ることが好ましい。このことにより、とりわけ一方が他方に対して移動する切断部分を安定して取り付けることができ、このためそれぞれの切断エッジが相互結合してしまうことが防止される。また、外刃の隙間またはバーが、下刃の切断エッジの配置間隔と異なる間隔で配置されるような構成により、このような相互結合が防止される。
【００１０】
本発明のひげそりヘッドは、回転方向の運動だけでなく直線状方向の振動運動により駆動されるシステムが適用されている。
【００１１】
本発明による他の目的、特徴、利点および適用の可能性は以下に示す実施の形態の記載により明らかとなるであろう。記述あるいは図示されるいかなる一つの特徴または組合せの特徴も、特許請求の範囲の記載事項の参照にかかわりなく、本発明の要旨を形成するものであることを理解されたい。
【発明を実施するための最良の形態】
【００１２】
図１に示すひげそりヘッドは、ひげそり器の電気駆動機構（図示せず）に連結する連結部材２を有する下刃１を備えており、この駆動機構は例えば駆動偏心軸または振動ブリッジからなっている。駆動機構により下刃１は長手方向に振動自在となっている。また、バイアスばね３が下刃１に取り付けられており、このバイアスばね３は、各支持部５にそれぞれ当接する両端部４を有する湾曲したばね板として構成されている。各支持部５は、それぞれハウジング（図示せず）に係合するのに適した戻り止めの突起６、または、とりわけひげそり器のひげそりシステムの取り外し可能なフレーム内のハウジングに連結された構成部材を有している。各支持部５はその両端に外側結合部７および内側結合部８をそれぞれ有し、これによって外刃９上の対応する結合面７ａおよび８ａにそれぞれ係合する。
【００１３】
支持部５および外刃９が互いに結合したときには、バイアスばね３によって、下刃１は外刃９に対して偏りながらこの外刃９に常時当接することとなる。
【００１４】
下刃１は、下方へ延びる２つの脚部と、その上側に設けられた複数の横方向に延びる平行切れ込み１０とを有するＵ字形状の輪郭として構成されており、切れ込み１０はひげそり刃の切断エッジを形成するバー１１により分離されている。
【００１５】
外刃９は、結合面７ａおよび８ａが設けられた２つの平行な側壁１２を有するとともに、２つの側壁１２を相互に連結させる細長い形状の壁部材１３を更に有している。この壁部材１３の外表面にはひげそりヘッドのかみ合い表面１４が形成されている。ひげそり器が組み立てられた状態において、側壁１２および壁部材１３は駆動する下刃１を案内し、この下刃１を包み込む機能を有する。
【００１６】
図２からとりわけ明らかなように、かみあい表面１４の幅は２つの横方向境界線１５、１６により決められる。この２つの横方向境界線１５、１６は、長手方向に沿って互いに反対側にある端部領域において平面輪郭を有している。これらの端部領域の間に、外刃９のかみ合い表面１４が、蛇行、正弦曲線状または曲がりくねった配置となるように延びる相互連結バー１７により形成されるような実際の切断ゾーンが設けられている。
【００１７】
バー１７は切断エッジ２２を形成する幅方向に延びる部分と、外側の大径部１９および内部の小径部２０を有する反転部分１８とを備えている。大径部１９は櫛状部の歯の先端を形成し、この大径部によって皮膚に対してとりわけ滑らかとなる。小径部２０は切断エッジ２２間を連結するよう設けられ、少なくともひげの半径よりも大きな径で形成されている。このことにより、切断エッジ２２間でひげが確実に捉えられ、ひげが挟まれて引っ張られることはない。
【００１８】
公知のひげそりヘッドでは、幅方向に延びる櫛状部のバーの外側半径は最大でバーの幅の半分の大きさであるが、本発明のひげそりヘッドの外側半径１９の最大値はバーの全幅に隙間の幅の半分を足した寸法となる。
【００１９】
反転部分１８のいくつかにおいて、外径部１９は急に直角となるよう形成され、側壁１２に一体的に形成される支持部２４に壁部材１３が係合する部分２３が設けられる。部分２３において直角に形成された隣接表面は、結合部材に適合してその位置を決める役割を果たす。当然のことながら、本発明では上述のような部分２３の角部がないものであっても効果を発揮することができ、この場合には全ての反転部分が櫛状部の歯の先端において大径部１９を有するようになっていることが理解されよう。
【００２０】
径部１９には外側に延びる隙間２１における漏斗状の通り抜け部が更に形成されている。
【００２１】
支持部２４を通って部分的に側壁１２に連結されたアーチ形の反転部分１８を有する蛇行バー１７の集合体により、ひげが剃られるべき皮膚に対して比較的弾性のあるかみあい表面１４を提供することができる。この表面は、当該表面自体を少なくとも小さい角度で皮膚の外郭に合わせることができ、不規則な外郭に対しても公知のひげそりヘッドよりも容易にこの外郭上で動かすことができる。かみあい表面１４が切断ゾーンの領域内でひずみが生じた場合であっても、下刃１のバー１１と相互結合することはない。このため外刃９のバー１７の配置間隔と下刃１のバー１１の配置間隙と異なるようにすることができ、かつ、隙間２１の長さを、ひげそり器が組み立てられた状態で下刃１のバー１１が通過する領域内に収められる寸法に取ることができる。この方法により、蛇行部がかみそりヘッドの長手方向軸に対して曲がっている場合であっても、相互結合するリスクが取り除かれる。前記の通過領域、すなわち外刃９と下刃１との間の接触領域は、図２の２５および２６として示される。参照符号２５および２６は、いわば２つの外側トラックを示しており、バイアスばね１３により押された下刃１は外刃９に対してこの外側トラック２５、２６を通って押圧されている。
【００２２】
上述のかみそりヘッドの構成により、櫛歯の先端がとりわけ大きな外径１９を有するような対応する長い切断エッジを有する、とりわけ長い隙間２１を得ることができる。このことにより、かみそりヘッドを、皮膚に対する最適の滑らかな処理を得ることができるとともに効果的にひげを切断することができる構成とすることができる。
【図面の簡単な説明】
【００２３】
【図１】分解組立図。
【図２】本発明のひげそりヘッドの平面図。
【図１】
2005523090.tif 000003
【図２】
2005523090.tif 000004
【国際調査報告】
2005523090.tif 000005
2005523090.tif 000006
2005523090.tif 000007
2005523090.tif 000008